(57)【特許請求の範囲】
【請求項１】
担持部材（１０）、少なくとも１つの光ファイバー（１４）の端部を受容する受信ユニット（１２）、少なくとも１つの前記光ファイバー（１４）によって受信される光信号を電気信号に変換して該電気信号を少なくとも１つの該光ファイバー（１４）によって送信すべき光信号に変換する変換器を具備する制御回路（１６）、前記制御回路に接続された第１の接点部材（１８）であって、前記変換器からの電気信号を該第１の接点部材（１８）に導きかつ該第１の接点部材（１８）からの電気信号を該変換器に導く第１の接点部材（１８）を備えており、
第２の接点部材が該第１の接点部材（１８）に接続されて該第１の接点部材（１８）からの電気信号を導きかつ該第１の接点部材（１８）へ電気信号を導くための該第１の接点部材（１８）に接続し得るように前記第１の接点部材（１８）は構成され、
また前記受信ユニット（１２）、前記制御回路（１６）、及び前記第１の接点部材（１８）は前記担持部材（１０）に対して固定され、
さらに前記接点デバイスは建物の部屋（２２）又は他の部分（２２）の壁又は床の形態の構造部材（２０）に固定可能に構成され、
前記接点デバイスは前記担持部材（１０）に対して固定すべく適合された保護部分（３４）を備えており、これにより、前記接点デバイスが建物の部屋（２２）又は他の部分（２２）の前記構造部材（２０）に固定され、かつ前記保護部分（３４）が前記担持部材（１０）に対して固定される場合に、少なくとも前記制御回路（１６）、前記受信ユニット（１２）、及び少なくとも１つの前記光ファイバー（１４）は、少なくとも前記保護部分（３４）を取り外すことなく建物の部屋（２２）にいる人の手が届く範囲になく、
一方で第１接点部材（１８）は前記人の手が届く範囲にあり、第１接点部材（１８）は雌型接点であり、これにより装置を接点デバイスに接続することができ、前記装置は前記第２接点部材を形成する雄型接点で終端する電気ケーブルに接続されることを特徴とする接点デバイス。
【請求項２】
前記接点デバイスは前記構造部材（２０）の主面（２４）に対して少なくとも部分的に嵌め込んで固定できるように構成されており、前記主面は建物の部屋（２２）又は他の部分（２２）に面し、前記接点デバイスが前記構造部材（２０）の所定の位置に固定される時、この少なくとも１つの光ファイバー（１４）が前記構造部材（２０）を介して該接点デバイスに導かれる際に前記受信ユニット（１２）が少なくとも１つの前記光ファイバー（１４）を受容すべく適合されるような前記担持部材（１０）に対する位置に該受信ユニット（１２）が固定される、請求項１に記載の接点デバイス。
【請求項３】
前記受信ユニット（１２）は、該受信ユニット１２が担持部材１０に固定される内部位置によって決定される方向（１５）に少なくとも１つの前記光ファイバー（１４）を受容するように構成されており、前記接点デバイスが前記構造部材（２０）の所定の位置に固定される時、前記方向（１５）が前記主面に対して４５°よりも小さい角度を成す、請求項２に記載の接点デバイス。
【請求項４】
前記接点デバイスが少なくとも１つの前記光ファイバー（１４）の超過分を巻回すべく配置した支持部材（２６）を備えている、請求項１から請求項３までのいずれか１項に記載の接点デバイス。
【請求項５】
前記接点デバイスは、送信が行われているか、受信が行われているか、及び制御回路（１６）への電流の供給が通常通りであるかについてそれらのうち少なくとも１つを表示すべく、前記制御回路（１６）に接続された表示装置（３２）を備えている、請求項１から請求項４までのいずれか１項に記載の接点デバイス。
【請求項６】
前記接点デバイスが前記制御回路（１６）に供給電圧を与えるために使用し得るバッテリーを保持する保持部材（３６）を備えている、請求項１から請求項５までのいずれか１項に記載の接点デバイス。
【請求項７】
前記接点デバイスが建物のフロアーの部屋（２２）又は他の部分（２２）の前記構造部材（２０）に取り付けられている、請求項１から請求項６までのいずれか１項に記載の接点デバイスの使用方法。
【請求項８】
前記構造部材（２０）が凹所（３８）を備えており、前記接点デバイスが少なくとも部分的に前記凹所（３８）内に嵌め込まれている、請求項７に記載の接点デバイスの使用方法。
【請求項９】
前記構造部材（２０）が壁である、請求項７または請求項８に記載の接点デバイスの使用方法。
【請求項１０】
前記接点デバイスが該接点デバイスに適切な供給電圧を与える変換器（４０）に接続されている、請求項７から請求項９までのいずれか１項に記載の接点デバイスの使用方法。
【請求項１１】
前記変換器（４０）が交流電流幹線に接続されている、請求項１０に記載の接点デバイスの使用方法。
【請求項１２】
前記変換器（４０）が導電性電話線（４４）に接続されている、請求項１０に記載の接点デバイスの使用方法。
【請求項１３】
前記変換器（４０）が前記構造部材（２０）に固定されている、請求項１０から請求項１２までのいずれか１項に記載の接点デバイスの使用方法。
【請求項１４】
前記接点デバイスが、前記構造部材に引き込まれる電線であって、該接点デバイスに適した供給電圧を与える供給ユニットにも接続されている電線と接続され、この供給ユニットが前記構造部材（２０）から離れたところに位置する、請求項７から請求項１１までのいずれか１項に記載の接点デバイスの使用方法。
【請求項１５】
前記接点デバイスが監視システム（５０）に接続され、該システムの助力によって該接点デバイスの動作を管理し得る、請求項７から請求項１４までのいずれか１項に記載の接点デバイスの使用方法。
【発明の詳細な説明】
【０００１】
【発明の属する技術分野】
本発明は接点デバイスに関し、より正確には少なくとも１つの光ファイバーが導かれる接点デバイスに関する。本発明はまたそのような接点デバイスの用途にも関する。
【０００２】
【従来の技術及び発明が解決しようとする課題】
英国特許第２１７８９１９号公報は光ファイバーによって広帯域信号を分配するネットワークを具備するシステムを示している。このネットワークはデジタルビデオ信号をテレビ装置に送信するのに特に適している。信号は光ファイバーによってテレビ受信器に位置づけられた受信／送信ユニットに導かれる。このようにして、信号は光学的な方法ではるばるテレビ装置まで導かれる。
【０００３】
米国特許第５５５８１０号公報は、光信号を分配する装置を記載している。光信号は光学壁接点(optical wall contacts)に導かれる。その後、光学壁からの光信号の変換が行われる。変換器はテレビ装置のような装置の一部分を構成するか、あるいは壁の接点に差し込まれた分離ユニットの一部を構成する。
【０００４】
欧州特許第７５３７７７４号公報は供給電圧用導電体と光ファイバーの両方を具備した壁ソケットを記載している。壁ソケットは該ソケットから供給電圧を供給される装置がまた光信号の助力によって連通できるべきであることを主目的としている。壁ソケットは１つ又は複数の光電変換器を備えている。壁ソケットは対応する光学プラグと協働し得る光学接点部材を備えている。壁ソケットは部屋の装置から光信号を受信してこれらの信号を電気信号に変換し及び反対、すなわち電気信号を光信号に変換してこれらの光信号を部屋の装置に送信することを主目的にしている。
【０００５】
上の最初の２つの文献に記載された装置は、光信号が導かれる装置内又は壁ソケットに差し込まれる別個の変換器内で、光電変換器を接点デバイスそれ自体の外側に配置しなければならないという欠点を有する。
【０００６】
最後の文献に記載された種類の光接点は幾つかの欠点を有している。そのような光接点はこれと共に接点が協働するかなり複雑なプラグを要する。何故なら、複雑なプラグがないと、壁ソケットとプラグとの間の光送信の損失が容易に生じるからである。さらにまた、家庭又はオフィスで使われる大抵の装置は電気信号の助力によって通信するように構成されており、これは装置へのそのような光ライン(optical line)の必要性が限定されることを意味する。
【０００７】
光ファイバーによって導かれる信号の助力による高速通信に対する必要性が増加している。それ故、光ファイバーが建物のフロアー又は別の部分に引き込まれることは益々日常のことになっている。光ファイバーによって送られる信号の助力によって通信する装置は、通常、光信号の電気信号への変換を要する。この変換は、装置への光ラインを要する、装置それ自体内で行うか、あるいは別個の光電変換器内で行うかのいずれかである。このような変換器はそれ自体の供給電圧を要し、変換器が電池によって電力を供給されるか、又は電流供給源に対する別個の線が変換器に引き込まれるように変換器を配置し得る。さらにまた、そのような別個の変換器は空間を要し、かつ例えば床の上に横置するように部屋内に位置づける際に清掃等が行われる範囲内にあることがある。そのような別個の変換器はまた保護されずに横置されると容易に損傷し得る。光送信に沿って故障が生じる。例えばフロアー上に横置する場合が該当する。何故なら、光送信は例えば汚れ又は他の影響に対して比較的敏感であるからである。さらにまた、光ファイバーからの光は、例えば子供が光ファイバーに近づいて光ファイバーが放つ光を目に向けると危険となり得る。
【０００８】
従来技術の更なる課題は、建物のフロアー又は他の部分に対する光接続に対する責任を有する供給者が、フロアー部分又はオフィス内で起こる接続の損傷に対して必ずしも責任を負わないことである。
【０００９】
【課題を解決するための手段】
本発明の目的は上述した複数の問題を回避される接点デバイスであって、しかも該接点デバイスの使用者への良好な機能及び簡単な用途を許容する接点デバイスを達成することである。
【００１０】
この目的は接点デバイスによって達成される。該接点デバイスは、担持部材、少なくとも１つの光ファイバーを受容する受信ユニット、少なくとも１つの光ファイバーによって受信される光信号を電気信号に変換して該電気信号を少なくとも１つの該光ファイバーによって送信すべき光信号に変換する変換器、及び制御回路に接続された第１の接点部材であって、変換器からの電気信号を該第１の接点部材に導きかつ該第１の接点部材からの電気信号を該変換器に導く第１の接点部材を備えている。第２の接点部材が該第１の接点部材に接続されて該第１の接点部材からの電気信号を導きかつ該第１の接点部材へ電気信号を導くための第１の接点部材に接続し得るように第１の接点部材は構成される。また、受信ユニット、制御回路、及び第１の接点部材は担持部に対して固定される。さらに、接点デバイスは建物の部屋又は他の部分の構造部材に固定可能に構成されている。
【００１１】
受信ユニットは、例えばスリーブ、いわゆるフェルール（嵌め輪）で構成し得る。フェルール内には光ファイバーの端部又は光ファイバーケーブルが配置される。第１の接点部材は、例えば雌型接点とし得る。したがって、この実施例による装置は、装置がこのように第２の接点部材を構成する雄型接点に終端する電気ケーブルに接続されるという点で、接点デバイスに接続し得る。構造部材は例えば、建物の一部のフロアー又は壁とし得る。好ましくは、しかし必ずしもではないが、少なくとも２つの光ファイバーは受信ユニットに接続される。これにより、１つの光ファイバーは接点デバイスからの信号を送信し、かつ別の光ファイバーは接点デバイスからの信号を受信するために使用し得る。変換器を備えた制御回路及び受信ユニットは接点デバイスそれ自体の一部を構成するから、装置は該装置と接点デバイスとの間に別個の変換器を何ら必要とすることなく接点デバイスに接続し得る。さらにまた、接点デバイスから装置又は別個の変換器までは光ファイバーを引く必要がない。上述した構成要素に加えて、接点デバイスは勿論更なる構成要素を備え得ることに留意すべきである。例えば。接点デバイスはこのようにして言及した第１の接点部材に加えて更なる接点部材を備え得る。接点デバイスはこのようにして他の接点部材と同じ種類の２つまたは複数の接点部材を備え得る。これは、例えば、１つ、かつ同じ接点デバイスに接続すべく幾つかの装置が部屋内にあることを可能にする。
【００１２】
本発明の接点デバイスの好ましい実施形態によれば、該接点デバイスは構造部材の主面に対して少なくとも部分的に嵌め込んで(at least partly lowered)固定できるように構成されている。この主面は建物の部屋又は部分に面する。接点デバイスが構造部材の所定の位置に固定される時、この少なくとも１つの光ファイバーが構造部材を介して接点デバイスに導かれる際に受信ユニトが少なくとも１つの該光ファイバーを受容すべく適合されるような担持部材に対する位置に該受信ユニットは固定される。この実施形態によれば、接点デバイスは上手く保護して配置し得る。１つ又は複数の光ファイバーは構造部材を介して接点デバイスに導かれるから、これらの光ファイバーもまた上手く保護して配置し得る。接点デバイスは必ずしも構造部材の主面に対して嵌め込んで固定する必要はないことに留意すべきである。あるいは、接点デバイスは、凹所内に嵌め込むことなく構造部材に単に固定し得る。この場合、接点デバイスは箱の形態をした外殻で構成される。これにより、この箱は構造部材の主面に固定し得る。
【００１３】
本発明の接点デバイスの別の実施形態によれば、受信ユニットは、該受信ユニットによって規定される方向に少なくとも１つの光ファイバーを受容するように構成されており、該方向は直線を規定する。接点デバイスが構造部材の所定の位置に固定される時、直線が主面に対して４５°よりも小さい角度を成すように、接点デバイスは担持部材に配置されている。角度は３０°よりも小さいことが好ましい。本発明の１つの実施形態によればこの角度は実質的に０°である。これは、光ファイバーが主面に対して実質的に平行な場合に１つ又は複数の光ファイバーが受信ユニットに導かれることを可能にする。これは、光ファイバーの接続を簡素化し、かつ光ファイバーの望ましくないかなり鋭い曲げが回避されることを意味する。
【００１４】
本発明の接点デバイスの更に別の実施形態によれば、  該接点デバイスは少なくとも１つの光ファイバーの超過分を巻回可能に配置された支持部材を備えている。これは、構造部材に引かれていた光ファイバーの超過分が容易にこれらの支持部材に巻回されることを可能にする。
【００１５】
本発明の接点デバイスの別の実施形態によれば、該接点デバイスはその異なる状態を表示すべく制御回路に接続した表示手段を備えている。使用者はこれにより接点デバイスの異なる状態を観察し得る。
【００１６】
本発明の接点デバイスの更に別の実施形態によれば、該接点デバイスは担持部材に対して固定すべく適合された保護部分を備えている。これにより、接点デバイスが建物の部屋又は他の部分の構造部材に固定され、かつ保護部分が担持部材に対して固定される時、少なくとも制御回路、受信ユニット、及び少なくとも１つの光ファイバーは、少なくとも保護部分を取り外すことなく建物の部屋又は他の部分にいる人の手が届く範囲にはない。これは、これらの部分を損傷する危険性が回避されることを意味している。接点デバイスの信頼性はこのようにして改善される。
【００１７】
本発明の接点デバイスの更に別の実施形態によれば、該接点デバイスは、制御回路に供給電圧を与えるために使用し得るバッテリーを保持する保持部材を備えている。そのようなバッテリーは、接点デバイスに供給電圧を与える他の供給源が働かない場合に必要な供給電圧を加えることを保障する目的を有し得る。
【００１８】
本発明の更なる目的は、接点デバイスの用途を実現することであり、その用途によれば従来の周知デバイスに関する上述した問題が回避される。
【００１９】
この目的は、上述した実施形態の何れかによる接点デバイスが建物のフロアーにある部屋又は他の部分の構造部材に取り付けられるという点で達成される。接点デバイス、及び該接点デバイスに含まれる部分はこれにより構造部材に固定される。例えば、変換器又は光ファイバーが建物の部屋又は他の部分に別個に配置されることが回避される。
【００２０】
本発明の別の好ましい用途によれば、構造部材は凹所を備えている。接点デバイスは凹所内に少なくとも部分的に嵌め込んで配置される。接点デバイスはこのように保護して配置され、かつ建物の部屋又は他の部分の近くにはない。上に指摘してきたように、接点デバイスを凹所内に嵌め込まずに構造部材に固定することも別の態様として可能である。
【００２１】
本発明の更に有利な用途によれば、構造部材は壁である。接点デバイスはこのように壁接点(wall contact)として固定されており、ケーブルを接点デバイスに接続すべき時に容易にアクセス可能にする。
【００２２】
本発明の更に有利な用途によれば、接点デバイスは該接点デバイスに適切な供給電圧を与える変換器に接続される。本明細書の概念的な変換器はいわゆるバッテリーエリミネーター(battery eliminator)を備えている。
【００２３】
本発明の更に有利な用途によれば、変換器は交流電流幹線(alternating current mains)に接続される。これにより、変換器は例えば１１０Ｖ又は２２０Ｖの交流電圧の共通の幹線に接続し得る。
【００２４】
本発明の別の有利な用途によれば、変換器は導電性を有する電話線に接続される。電話線はしばしば部屋に引かれている。この電話線によって適切な供給電圧を得ることができる。これにより、変換器はこの供給電圧を接点デバイスの制御回路に適切な電圧に変換する。適切な電圧は例えば６Ｖの直流電圧とし得る。
【００２５】
本発明の別の有利な用途によれば、変換器は構造部材に固定される。これにより、建物の部屋の床又は他の部分にばらばらに横置される別個の変換器を備える必要はない。
【００２６】
本発明の更に有利な用途によれば、接点デバイスは構造部材に引き込まれた電線に接続されると共に接点デバイスに適切な供給電圧を与える供給ユニットにも接続されている。この供給ユニットは構造部材から所定の距離に位置づけられている。供給ユニットは例えば家の基部に設置された変換器とし得る。そのような変換器は家の幾つかの接点デバイスに適切な供給電圧を与え得る。この供給電圧は電線によって接点デバイスに導き得る。これらの電線は光ファイバーと共に引くことがあり得る。あるいは、例えば既に現存する電話線を使用し得る。
【００２７】
本発明の更にまた有利な用途によれば、接点デバイスは監視システムに接続され、この監視システムの助力によって接点デバイスの機能を管理し得る。光ファイバー及び接点デバイスを設置することに対して責任のある製品供給業者は、例えば、起こり得る故障を分析するために接点デバイスの機能をこのように管理し得る。
【００２８】
本発明の他の利点は以下の記載から明らかとなる。
【００２９】
【発明の実施の形態】
本発明を添付図面に関して説明し、かつ例示する。これらの図面が本発明の複数の実施形態の例を概略的に示すのみであることに留意すべきである。
【００３０】
本発明の実施形態を図１〜図５に関して以下に説明する。
【００３１】
このように、接点デバイスは担持部材１０を備えている。例示する実施形態では、担持部材（図２参照）は上側部分１０ａ及び下側部分１０ｂを有する。担持部材１０、及びこれにより接点デバイスは、部屋２２又は建物の他の部分２２（図５参照）の構造部材２０に適切に固定することが有利な用途である。構造部材２０は壁であることが適切である。図５に示すように、接触装置が壁２０の主面２４に対して少なくとも部分的に嵌め込んで固定し得るように該装置を構成することは適切である。壁の主面は部屋２２又は建物の一部２２に面する。上述してきたように、接触装置は壁２０それ自体内に嵌め込むことなく、例えば壁２０に固定することもできる。これにより、接触装置はねじによって壁面に対して単に固定し得るような箱を備えている。これにより、敏感な構成要素を内部に保護するような箱を構成し得る。
【００３２】
受信ユニット１２は担持部材１０に固定される。この受信ユニット１２は、少なくとも１つの光ファイバー１４の端部を内部に配置し得るように構成される（明瞭化のために、光ファイバーは図１及び図３のみに示した）。通常、少なくとも２つの光ファイバーが受信ユニット内に配置されることに留意すべきである。これにより、適切には、１つの光ファイバーを信号を伝えるために使用し、かつ１つの光ファイバーを信号を受信するために使用し得る。しかしながら、本発明の範囲内では、１つ又は２つ以上の光ファイバーを使用する可能性がある。以下の記載で簡素化のために１つの光ファイバーを記述する際は、実際には１つの光ファイバーより多くの光ファイバーであると解釈すべきである。
【００３３】
受信ユニット１２は、いわゆる所謂フェルール（嵌め輪）から構成し得る。これはまた、入ってくる光信号を検出するための検出器、及びレーザのような光信号を伝える送信器を備えている。あるいは、そのような検出器及び送信器は受信ユニット１２から離して配置して受信ユニット１２にのみ接続し得る。この少なくとも１つの光ファイバー１４が構造部材２０、すなわち、壁を介して接点デバイスに導かれる際に光ファイバー１４を受容するように、受信ユニット１２は固定される。このように、光ファイバー１４は部屋２２それ自体の中に引き込まれることなく該部屋２２に対して適切に引き込まれる。しかしながら、本発明の範囲内では、光ファイバー１４が部屋２２それ自体内の接点デバイスに引き込まれる可能性もあることに留意すべきである。
【００３４】
これは、例えば、接点デバイスが壁２０内に嵌め込まれることなく該壁２０に固定される場合に該当する。これにより光ファイバー１４は部屋２２それ自体を通じて接触装置に引き得る。１つ又は複数の光ファイバー１４はケーシング内で横置して保護し得る。そのようなケーシングは、例えば、複数の光ファイバーの周りに既に配置されているものであってもよく、あるいはケーシングは複数の光ファイバーを保護するために部屋２２の壁又はフロアーに沿って配置されるチューブから構成し得る。
【００３５】
受信ユニット１２は、該受信ユニット１２が担持部材１０に固定される内部位置によって決定される方向１５に光ファイバー１４を受容するように構成されている。このように、方向１５は直線を規定する。接点デバイスが構造部材２０の所定の位置に固定される時、線１５が主面２４に対して４５°よりも小さな角度を形成するように、受信ユニット１２は担持部材１０に固定される。好ましくは、角度は３０°より小さい。角度を０°にすることもできる。これは方向１５が壁２２の主面２４に実質的に平行であることを意味する。これは光ファイバーが望ましくない曲げを受けること無く該光ファイバーの固定を簡素化する。
【００３６】
接点デバイスはまた光ファイバー１４の超過分を巻回可能に配置した複数の支持部材２６を備えている（図３参照）。適切には、担持部材１０は、光ファイバー１４が該担持部材１０の一部を通って受信ユニット１２に導かれることを可能にする凹所又は孔２８を備えている。光ファイバー１４が巻回されて該巻回された光ファイバー１４が壁２２の主面２４に対して実質的に平行に配置され、かつ巻回された光ファイバー１４が壁２０の凹所３８内で上手く保護されるように、複数の支持部材２６を配置し得る。接点デバイスが壁２０内に嵌め込まれることなく該壁に固定される場合、巻回された光ファイバー１４は、接点デバイスの保護ケーシングを構成する箱内に適切に位置づけられて保護される。
【００３７】
さらにまた、受信ユニット１２は接点デバイスを貫通する仮想中心軸線３０（図２参照）から、例えば１〜５ｃｍ、好ましくは２〜４ｃｍの距離に配置される。この中心軸線３０は壁の主面２４に対して直角である。受信ユニット１２は線１５が実質的に該受信ユニット１２を通過する仮想円に正接するか、又は接線から３０°よりも小さな角度だけ外れるように配置するのが好ましい。ここに、仮想円は、該円が中心軸線３０に直角な平面内にあり、かつ該円の中心が中心軸線３０と一致するような円である。これにより、光ファイバー１４は支持部材２６から受信ユニット１２へ望ましくない曲げを受けることなく導き得る。
【００３８】
接点デバイスは、光ファイバー１４によって受信される光信号を電気信号に変換し、かつ電気信号を光ファイバー１４によって伝えるべき光信号に変換する（図１に表象的に記した）制御回路１６を備えている。受信ユニット１２は制御回路１６に接続される。上述してきたように、変換器の複数を受信ユニット１２内に含め得る可能性がある。光電変換器を具備した制御回路１６が周知のものであるため、それ故、本明細書では詳しく述べない。
【００３９】
接点デバイスはまた制御回路１６に接続される第１の接点部材１８を備えている。これにより、変換器からの電気信号は第１の接点部材１８に導かれ、かつ第１の接点部材１８からの電気信号は変換器に導かれる。第１の接点部材１８は、ＲＪ又はＡＵＩのような幾つかの適切な規範に従った雌型接点である。上述してきたように、接点デバイスは１つ以上の第１の接点部材を備え得る。このようにして、接点デバイスには２つ以上の雌型接点が設けられ、これにより部屋内の幾つかの装置を接点デバイスに引き込まれた１つ又は複数の光ファイバーに接続し得る。
【００４０】
（図示しない）第２の接点部材を第１の接点部材１８に接続して該第１の接点部材からの電気信号を導き、かつ該第１の接点部材へ電気信号を導くように、第１の接点部材１８は構成されている。このように、第２の接点部材は第１の接点部材と同じ規範に従った雄型接点とし得る。受信ユニット１２、制御回路１６、及び第１の接点部材１８は担持部材１０に対して固定される。
【００４１】
接点デバイスはまた該接点デバイスの異なる状態を表示すべく制御回路１６に接続された表示装置３２を備えている。これらの表示装置３２は、例えば、光射出ダイオードとし得る。表示装置３２は、例えば、送信又は受信が行われているか、あるいは制御回路１６への電流の供給が通常通りであるかを表示する。
【００４２】
接点デバイスはまた担持部材１０に対して固定すべく適合された保護部分３４を備えている。接点デバイスが例えば壁に固定され、かつ保護部分３４が担持部材１０に対して固定される時には、制御回路１６、受信ユニット１２、及び光ファイバー１４は部屋２２内にいる人には利用できない。そのような人は第１の部材１８のみ（接点デバイスが１つ以上のそのような接点部材を含む場合にはそのような複数の接点部材の幾つかを）を観る。このようにして、接点デバイスの敏感な要素は保護される。
【００４３】
接点デバイスはまた制御回路１６に供給電圧を与えるために使用し得る電池を保持するための保持部材３６を備えている。そのような電池は、他の電流供給が働かない場合の例えばバックアップとして使用し得る。図示しない実施形態では、保持部材３６は、部屋２２にいる使用者が保護部材３４を取り外すことなく電池を利用できるように、接点デバイスに配置し得る。この様に、使用者は簡単な方法で電池を交換し得る。
【００４４】
図５に示すように、壁とし得る構造部材２０には凹所が設けられていることが好ましい。ここに、接点部材は少なくとも部分的に凹所３８内に嵌め込まれて配置される。
【００４５】
制御回路１６は例えば６Ｖのような低い直流電圧を供給される種類のものとし得ることが適切である。接点デバイスにこの供給電圧を与えるために、接点デバイスは変圧器４０（図６参照）に接続し得る。変圧器４０はいわゆる電池エリミネーターとし得る。図６に示すように、変圧器４０は構造部材２０内に嵌め込んで配置し得る。あるいは、変圧器４０は構造部材２０から距離を隔てて配置し得る。変圧器４０はまた、勿論、構造部材２０内に嵌め込むことなく、該構造部材に固定し得る。標準形態のＡＣ壁接点内に直接的に差し込み得るように変圧器を構成することもできる。そのような変圧器から、接点デバイスに供給電圧を与えるべく電線を該接点デバイスに引き得る。これにより、接点デバイスはＡＣ壁接点の近く又は隣接して固定し得る可能性がある。
【００４６】
変圧器４０は通常（例えば、１１０Ｖ又は２２０Ｖの）交流電圧幹線(mains)の一部を構成し、かつ既に構造部材２０に引き込まれたケーブル４２に接続し得る。あるいは、変圧器４０には、構造部材２０に既に引き得た電気導電性電話線４４を介して供給電圧を与え得る。４０Ｖ〜５０Ｖの直流電圧に対するそのような電話線４４を設け得る。
【００４７】
別の実施形態によれば、接点デバイスは構造部材２０に引き込まれた電線４６（図５参照）に接続し得る。そのような電線４６は光ファイバー１４を引く時に構造部材２０に引き得る。電線４６はまた既に設けられているが使われていない電話線から構成し得る。電線４６は、今度は、接点デバイスに適切な供給電圧を与え、しかも構造部材２０から所定の距離に位置づけられた、例えば変換器形態をした供給ユニットに接続し得る。そのような供給ユニットは例えば家の基部に配置してその領域内の該家の多くの接点デバイスに適切な供給電圧を与え得る。１つの別の実施形態による接点デバイスはまたバックアップとして働き、しかも家の基部又は別の部屋にある構造部材２０から所定の距離に位置づけられた電池に接続し得る。そのような電池を使う場合には、接点デバイスそれ自体に電池のバックアップをする必要はない。
【００４８】
図７に図式的に示すように、接点デバイスは監視装置５０（管理装置）に接続し得る。この監視装置５０の助力により接点デバイスの機能を監視し得る。これにより、光ファイバーを具備した装置及び接点デバイスの責任者はこれらの機能を監視し得る。例えば、これにより接点デバイスへの供給電圧が働いているかどうか、送信および／または受信をする場合であるかどうか等について監視し得る。
【００４９】
監視装置５０が制御回路１６に接続されて図７に表象されるような異なる態様で接点デバイスに接続し得る。接続は、ＡＣ電圧用に意図した既に現存する線４２、光ファイバー１４、既に構造部材２０に引き込まれた電話線４４、接点デバイスに供給電圧を与える別の線４６、又は特に監視装置への接続を構成するために引き込まれた別個の線５２を介して行われる。
【００５０】
本発明は上述の実施形態に限定されるものではなく、特許請求の範囲内で改変かつ変更し得る。
【図面の簡単な説明】
【図１】  本発明による接点デバイスの正面図である。
【図２】  図１のＡ−Ａ線を記した区域に応じた接点デバイスの断面図である。
【図３】  図１の接点デバイスの背面図である。
【図４】  図１による正面図に類似しているが接点デバイスに保護部分を設けた図である。
【図５】  図２の断面図に類似しているが接点デバイスが壁に固定されている断面図である。
【図６】  図５のような断面図であるが変圧器が壁に配置された断面図である。
【図７】  監視装置と接点デバイスとの接続を図式的に示す図である。
【符号の説明】
１０  担持部材
１２  受信ユニット
１４  光ファイバー
１５  （受信ユニットによって規定される）方向
１６  制御回路
１８  第１の接点部材
２０  構造部材
２２  建物の部屋又は他の部分
２６  支持部材
３４  保護部分
３６  保持部材
３８  凹所
４０  変換器
４４  電話線
５０  監視システム
【図１】
0004694083.tif 000002
【図２】
0004694083.tif 000003
【図３】
0004694083.tif 000004
【図４】
0004694083.tif 000005
【図５】
0004694083.tif 000006
【図６】
0004694083.tif 000007
【図７】
0004694083.tif 000008